(57)【要約】【課題】風雨の激しいときにも雨水の浸入を完全に防止することができる両扉式キャビネットを提供する。【解決手段】本発明は、観音開き式の扉の上縁に内側屈曲片４を形成するとともに、先に閉じられる側の扉２の上方端部に、垂直片９及び下片１３を備えた水切り金具７を溶接した両扉式キャビネットに関するものである。本発明では、水切り金具７の上片８の上面に入り込んだ雨水が水切り金具７の垂直片９を伝ってキャビネット内部に浸入することを防止するため、水切り金具７の垂直片９の垂直端部１４を面取りし、その面取り部１２とクロスさせて扉２とキャビネット本体１との間をシールするパッキン１０を取り付けた。【選択図】  図４
2006307464.tif 000002
【特許請求の範囲】
【請求項１】
観音開き式の各扉の上縁に内側屈曲片を形成するとともに、先に閉じられる側の扉の上方端部に、垂直片及び下片を備えた水切り金具を溶接した両扉式キャビネットにおいて、水切り金具の垂直片の垂直端部を面取りし、その面取り部とクロスさせて扉とキャビネット本体との間をシールするパッキンを取り付けたことを特徴とする両扉式キャビネット。
【発明の詳細な説明】
【技術分野】
【０００１】
本発明は、屋外用の電気電子機器収納用箱として用いるに適した観音開き式の２枚の扉を備えた両扉式キャビネットに関するものである。
【背景技術】
【０００２】
屋外に設置される両扉式キャビネットは、先に閉じられる側の扉（内側扉）の合わせ目の部分に水平断面がコ字状の垂直な水切り部を折り曲げ形成し、扉を閉じたとき他方の扉（外側扉）に設けられた差込部がコ字状の水切り部の内部に挿入されるようにして、雨水がキャビネット内に浸入することを防止している。また、各扉の上縁には内側屈曲片を形成し、雨水をキャビネット本体の上縁部に形成されたＵ字溝に流下させている。これにより扉の奥方向に流れる雨水は処理できるが、扉の合わせ目方向に流れる雨水が２枚の扉の間から流下してキャビネット内に浸入するおそれがある。
【０００３】
そこで特許文献１の図３に示されるような、コ字状に折曲形成された水切り金具を先に閉じられる側の扉の上方端部に溶接し、後に閉じられる扉の先端がその上にかぶさるようにして、扉の合わせ目部分に形成される隙間を塞いでいる。
【０００４】
また、各扉の上部にキャビネット本体の上縁部と接触するパッキンを水平方向に設け、水切り金具とキャビネット本体との間をシールしている。このため、水切り金具の形状が垂直片と下片のみで構成されたL字状であっても、水切り金具とキャビネット本体との間のパッキンにより、水の浸入を防ぐことができる。なお、水切り金具の下片は、扉の合わせ目の部分からの吹き上がる水の浸入を防止している。ところが、上記のような防水対策を講じてもなお、風雨の激しいときには少量の雨水がパッキン部分からキャビネット本体内部に浸入することがあった。
【特許文献１】特開２００３−１０６０６９号公報（図３）
【発明の開示】
【発明が解決しようとする課題】
【０００５】
従って本発明の目的は、風雨の激しいときにも雨水の浸入を防止することができる両扉式キャビネットを提供することである。
【課題を解決するための手段】
【０００６】
上記の課題を解決するためになされた本発明は、観音開き式の各扉の上縁に内側屈曲片を形成するとともに、先に閉じられる側の扉の上方端部に、垂直片及び下片を備えた水切り金具を溶接した両扉式キャビネットにおいて、水切り金具の垂直片の垂直端部を面取りし、その面取り部とクロスさせて扉とキャビネット本体との間をシールするパッキンを取り付けたことを特徴とするものである。なお、水切り金具の上片に、扉の内側屈曲片に向かって傾斜するせき止め片を形成することが好ましい。
【発明の効果】
【０００７】
本発明の両扉式キャビネットは、先に閉じられる側の扉の上方端部に上片及び垂直片を備えた水切り金具を溶接したので、従来と同様に他方の扉との間に形成される隙間からの雨水の浸入を防止することができる。しかも水切り金具の垂直片の垂直端部を面取りし、その面取り部とクロスさせて扉と本体との間をシールするパッキンを取り付けたので、水切り金具の垂直片の垂直端部における板厚分の段差がなくなり、パッキンと扉が密着する。このため、水切り金具の上片を伝って来た雨水が板厚分の段差による隙間からキャビネット内部へ浸入するのを防止することができる。
【発明を実施するための最良の形態】
【０００８】
以下に本発明の好ましい実施形態を示す。
図１は本発明の両扉式キャビネットの全体斜視図であり、１はキャビネット本体、２と３はキャビネット本体１の前面に設けられた観音開き式の扉であり、２は先に閉じられる側の扉、３は後に閉じられる側の扉である。
【０００９】
図２は要部の拡大斜視図、図３はその垂直断面図である。これらの図面に示されるように、各扉２、３の上縁には内側屈曲片４が形成されている。また図３に明示されるように、キャビネット本体１の前面上部には庇５とＵ字溝６とが形成されており、扉２、３を閉じたときに上縁の内側屈曲片４が庇５とＵ字溝６との間に入り込むようになっている。このため庇５の下側から吹き込んだ雨水は内側屈曲片４の上面を流れてＵ字溝６に流入するようになっている。
【００１０】
しかし上記構造のみでは扉２、３の合わせ目部分の防水効果は得られないので、先に閉じられる側の扉２の上方端部に、他方の扉３との間に形成される隙間からの雨水の浸入を防止するための水切り金具７が溶接されている。この水切り金具７は少なくとも垂直片９及び下片１３を備えたもので、この実施形態では金属板を断面コ字状に屈曲したものである。図２、図３に示されるように、垂直片９は扉２の裏面に溶接されている。
【００１１】
また図２に示されるように、水切り金具７は扉２の合わせ目側の垂直端面からやや突出させてあり、この突出部分に反対側の扉３が重なるようになっている。このため水切り金具７の上片８が反対側の扉３の内側屈曲片４の裏面と密着すれば、ほぼ完全な防水が可能となる。しかし、組み付け誤差等の原因で扉３に多少の垂れ下がりが生じたときにも、水切り金具７の上片８が扉３の内側屈曲片４と擦れ合うことを防止するため、図３に示すように上片８の高さを内側屈曲片４の高さよりもやや低くしておく必要がある。
【００１２】
このため風雨の激しいときには、水切り金具７の上片８の上面に雨水が入り込む可能性がある。そして上片８を奥側に流れた雨水はＵ字溝６に流入するため問題はないが、図２中に矢印Ａで示す方向（図３の紙面に垂直方向）に流れた雨水は、水切り金具７の垂直片９の垂直端部１４を伝ってキャビネット内部に浸入する可能性がある。
【００１３】
この問題を解決するために、図４、図５に示すように各扉２、３の上部には水切り金具７の垂直片９とクロスするように、扉２、３とキャビネット本体１との間をシールするパッキン１０が貼り付けてある。このパッキン１０は図３に示すようにキャビネット本体１のＵ字溝６の前面１１と密着し、水切り金具７の垂直片９の垂直端部１４を伝って流下する雨水をシールする。
【００１４】
ところが扉２と垂直端部１４には、図６、図７に示すように垂直片９の板厚分だけの段差Ｈが存在するため、パッキン１０と扉２との間にごく僅かな三角形の隙間を生じる。これが従来構造では完全な防水ができなかった原因であると思われる。しかし本発明では、図４に示すように水切り金具７の垂直片９の垂直端部１４を面取りして面取り部１２を形成し、この面取り部１２とクロスさせてパッキン１０を貼り付けた。この結果、図５に示すようにパッキン１０は垂直片９及び扉２と隙間なく密着し、この部分からの雨水の浸入を防止することができる。従って、風雨の激しいときにも雨水の浸入を防止することができる。なお、ここでは断面コ字状の水切り金具で説明したが、垂直片と下片で構成された断面略L字状の水切り金具でもよい。
【００１５】
図８は他の実施形態を示す図であり、水切り金具７の上片８に、扉２の内側屈曲片４に向かって上方に傾斜するせき止め片２０を形成したものである。このせき止め片２０と扉２の内面との間はシール材（隙間埋め材）によりシールされており、図２中に矢印Ａで示す方向に流れる雨水をせき止める。従って請求項１の発明に更にこのせき止め片２０を追加すれば、より防水性を高めることができる。
【００１６】
図９〜図１２は、本発明の両扉式キャビネットの外面に遮光板を取り付けた実施形態を示すものである。３１は側面遮光板であり、キャビネット本体１の側面にネジ止めされている。この側面遮光板３１の上端を図９のようにキャビネット本体１よりも上方に突出させ、折り曲げ部３２を形成する。そして天面遮光板３３の左右両端の折り曲げ部３４をこれらの折り曲げ部３２にネジ３５により固定する。このような構造とすれば、キャビネット本体１の天面にネジ止めのための穴を開けることがないため、雨水浸入のおそれをなくすることができる。
【００１７】
なお、側面遮光板３１の上部から延長して、折り曲げ部３２の水平部に放熱孔３８が設けられていることにより、キャビネット本体１の側面に設けられたルーバー３９から排気された熱が真上へのトンネル効果により外へ逃げ易くなる。
【００１８】
また、側面遮光板３１をキャビネット本体１の側面に取り付けるには、キャビネット本体１に設けられた穴にネジを挿入し、ネジの頭の部分を側面遮光板３１の内側折り曲げ部３６に設けられたダルマ穴の大径部に挿入し、小径部側にスライドさせる。その後、側面遮光板３１のダルマ穴に対応する位置に設けられた穴３７からドライバ等を差込み、キャビネット本体１と側面遮光板３１を締め付ける。このような構造とすれば、外側よりネジ締めができるので、作業性が向上する利点がある。
【００１９】
以上に説明したように、本発明の両扉式キャビネットは風雨の激しいときにも雨水の浸入を防止することができる利点がある。
【図面の簡単な説明】
【００２０】
【図１】本発明の両扉式キャビネットの全体斜視図である。
【図２】要部の拡大斜視図である。
【図３】図２の垂直断面図である。
【図４】要部の斜視図である。
【図５】要部の水平断面図である。
【図６】面取り部を設けなかった場合の要部の斜視図である。
【図７】図６の水平断面図である。
【図８】他の実施形態を示す要部斜視図である。
【図９】遮光板を取り付けたキャビネットの正面図である。
【図１０】遮光版の分解斜視図である。
【図１１】遮光板を取り付ける前のキャビネットの斜視図である。
【図１２】天面遮光版の固定部分の垂直断面図である。
【符号の説明】
【００２１】
１  キャビネット本体
２  先に閉じられる側の扉
３  後に閉じられる側の扉
４  内側屈曲片
５  庇
６  Ｕ字溝
７  水切り金具
８  上片
９  垂直片
１０  パッキン
１１  Ｕ字溝の前面
１２  面取り部
１３  下片
１４  垂直端部
２０  せき止め片
３１  側面遮光板
３２  折り曲げ部
３３  天面遮光板
３４  折り曲げ部
３５  ネジ
３６  内側折り曲げ部
３７  穴
３８  放熱孔
３９  ルーバー
【図１】
2006307464.tif 000003
【図２】
2006307464.tif 000004
【図３】
2006307464.tif 000005
【図４】
2006307464.tif 000006
【図５】
2006307464.tif 000007
【図６】
2006307464.tif 000008
【図７】
2006307464.tif 000009
【図８】
2006307464.tif 000010
【図９】
2006307464.tif 000011
【図１０】
2006307464.tif 000012
【図１１】
2006307464.tif 000013
【図１２】
2006307464.tif 000014